(57)【要約】【課題】自転車用補助椅子から落下したり、飛んで行ったりしない膝掛けを提供する。【解決手段】自転車の荷台等に固定した幼児用補助椅子に取り付けるための膝掛け２０であって、この膝掛けは子供の膝部及び腰部等を覆う大きさの防寒用布帛等から形成された柔軟なシート状体２１からなり、このシート状体２１の周縁部に帯状のゴム紐からなる取付部２５を設け、この取付部２５を補助椅子の把手部４３の支持部の根元部４５に取り付けることができる。取付部２５と対向する反対側の周縁部には幼児の腰部等又は補助椅子４０の背もたれ部４６に固定することができるバックル３２ａ，３２ｂを設けた。シート状体２１は腰掛けた幼児の膝部及び腰部等を適切に被覆できるようにボックス型に立体的に成型されている。【選択図】図４
2005068624.tif 000002
【特許請求の範囲】
【請求項１】
自転車の荷台又はハンドルに取り付けて使用する幼児用補助椅子に取り付けるための膝掛けであって、
この膝掛けは、子供の膝部及び腰部等を覆う大きさの防寒用布帛等から形成された柔軟なシート状体（１１，２１）からなり、
このシート状体（１１，２１）の適宜位置に取付部（１５，２５，５５）を設け、この取付部（１５，２５，５５）を補助椅子の把手部又はその支持部等に取り付けることにより、膝掛けを補助椅子に取り付けることができ、
この膝掛けを補助椅子に取り付けた状態で、腰掛けた幼児の膝部及び腰部等を被覆することができる自転車取付用補助椅子用の膝掛け。
【請求項２】
シート状体（２１）の取付部（２５）と対向する反対側の周縁部分に幼児の腰部等又は補助椅子の背もたれ部等に固定することができる固定手段（３０，３０，３２ａ，３２ｂ）を設けたことを特徴とする請求項１に記載の自転車取付用補助椅子用の膝掛け。
【請求項３】
シート状体（２１）が腰掛けた幼児の膝部及び腰部等を適切に被覆できるようにボックス型に立体的に成型されていることを特徴とする請求項１又は２に記載の自転車取付用補助椅子用の膝掛け。
【発明の詳細な説明】
【発明の詳細な説明】
【技術分野】
【０００１】  本発明は、自転車の後部荷台又はハンドルに取り付け、固定して使用する幼児用補助椅子に取り付けて使用する防寒用の膝掛けに関するものである。
【背景技術】
【０００２】  従来、自転車の後部荷台等に取り付けて使用する幼児用補助椅子に取り付けるための防寒用の膝掛けというものは存在していなかった。
ただ従来においては、寒冷時、幼児を自転車の補助椅子に座らせた際に、小さいサイズの毛布、タオルケット又はブランケット等を幼児の膝部、腰部及び腹部等に直接被せて寒気を防止し、防寒手段としていたのが現状であった。
【発明が解決しようとする課題】
【０００３】  このような従来の防寒手段においては、小さな毛布等を単に幼児の膝部や腰部等に被せているだけであったので、自転車の揺れや振動或いは風等により毛布等が簡単にずり落ち、或いは飛んで行ってしまう。しかも補助椅子を後部荷台に取り付けた場合には、自転車をこいでいる母親は前方を注意しているため、毛布等の落下に気付かないことが殆どである。そして毛布の落下等を幼児が母親に訴えることにより始めて気付くというのが現状であり、その都度母親は自転車を停止させて、毛布を取りに行かねばならないという問題があり、自転車走行中に後ろを見ることができない母親は毛布等が落下したり、飛んで行ってしまわないかいつも心配し、注意しなければならなかった。
【０００４】  また、幼児を補助椅子から降ろす際にも、毛布等が幼児の動きに伴って一緒にずり落ちてしまうことがあり、予め毛布等を取り除いた後に幼児を降ろすようにしており、面倒であった。
そこで、本発明においては、上記問題を解消するために、幼児用の膝掛けを幼児用の補助椅子に取り付けることができ、しかも膝掛けが自転車用補助椅子から落下したり、飛んで行ったりせず、更には幼児を補助椅子から降ろす際にも落下してしまわないものを提供することをその課題としている。
【課題を解決するための手段】
【０００５】  上記課題を解決するために、本発明の第１のものは、自転車の荷台又はハンドルに取り付けて使用する幼児用補助椅子に取り付けるための膝掛けであって、この膝掛けは、子供の膝部及び腰部等を覆う大きさの防寒用布帛等から形成された柔軟なシート状体１１、２１からなり、このシート状体１１、２１の適宜位置に取付部１５、２５，５５を設け、この取付部１５、２５，５５を補助椅子の把手部又はその支持部等に取り付けることにより、膝掛けを補助椅子に取り付けることができ、この膝掛けを補助椅子に取り付けた状態で、腰掛けた幼児の膝部及び腰部等を被覆することができる自転車取付用補助椅子用の膝掛けである。
本発明の第１のものにおいては、シート状体に取付部が設けられているために、この取付部を補助椅子の把手部又はその支持部等に取り付けることができるために、膝掛けが自転車の揺れや振動或いは風等によって落下してしまうという心配が無くなる。
【０００６】  本発明の第２のものは、上記第１の発明において、シート状体２１の取付部２５と対向する反対側の周縁部分に幼児の腰部等又は補助椅子の背もたれ部等に固定することができる固定手段３０、３０、３２ａ、３２ｂを設けたことを特徴とする自転車取付用補助椅子用の膝掛けである。
本発明の第２のものにおいては、シート状体の適宜位置に設けられた取付部と、これに対向する反対側周縁部分にも固定手段が設けられているために、取付部を補助椅子の把手部やその支持部に、また固定手段を幼児の腰部等に又は補助椅子の背もたれ部等に固定することにより、シート状体の前方と後方の２箇所で固定することができ、膝掛けは、完全に幼児の膝部及び腰部等を被覆したままの状態を維持し、補助椅子から落下してしまうことを完全に防止できる。
【０００７】  本発明の第３のものは、上記第１又は第２の発明において、シート状体２１が腰掛けた幼児の膝部及び腰部等を適切に被覆できるようにボックス型に立体的に成型されていることを特徴とする自転車取付用補助椅子用の膝掛けである。
この第３の発明においては、膝掛けのシート状体が、ボックス型に立体的に成型されているために、幼児が補助椅子に腰掛けた状態で、その上方からスッポリとシート状体を幼児の膝部と腰部等に容易に被覆することができ、その被覆に際して位置決めが極めて容易となる。
【発明を実施するための最良の形態】
【０００８】  以下、添付の図面と共に実施の形態について説明する。
図１は、本発明の第１の実施形態を図示する全体斜視説明図である。膝掛け１０は、いわゆるブランケットと呼ばれるものから成る略矩形形状のシート状体１１からなるものである。その表地及び裏地は、共に合成繊維の布地からなり、中間にワタを配設し、周縁部に帯状の布地１２を縫着し、格子状に縫い目を配設して縫製したものである。この略矩形形状のシート状体１１の周縁部の一辺の略中央部に取付部１５を設けている。
この取付部１５は、伸縮自在の帯状のゴム紐からなり、周縁部の外周に沿って並行に配置し、その両端部で縫着して取り付けている。したがって、この取付部１５は、シート状体１１と取付部１５との間１６に自転車の荷台に取付固定する補助椅子の把手部の支持部の根元部に引っ掛けることができる。この取付部１５の長さは、補助椅子の把手部の支持部の横幅とほぼ同程度の長さを有している。
この実施形態においては、取付部１５は、シート状体１１の周縁部の側縁に沿うように並行に設けたが、周縁部から多少シート状体の中央に寄った部分（周縁部分）に形成するのも自由である。【０００９】  取り付け方については、図４を利用して後に説明するが、この取付部１５を補助椅子の把手部の支持部の根元部に取り付けることにより、膝掛けは補助椅子に取り付けられ固着された状態となり、振動や風等により落下したり、飛ばされたりすることがなくなるのである。
取付部の取り付け位置は、上記のように把手部の支持部の根元部ばかりでなく、その支持部の上方部であってもよく、その場合には、取付部は、シート状体の周縁部からやや中央寄りの部分（周縁部分）に設けられることとなる。【００１０】  上記取付部１５は、帯状の伸縮自在のゴム紐を使用したが、これは、普通の伸縮しない紐であってもよく、この紐を使用する場合には、取付部１５の両端部１５ａ、１５ａにそれぞれの紐の端部を縫着して、これら２本の紐により補助椅子の把手部の支持部の根元部に縛り付けることによって取り付け固定することができる。
また、ゴム紐の一方端部を縫着し、他方端部は縫着せずに、雌雄の面ファスナーによってシート状体と固着できるようにすることも可能である。
尚、取付位置については、補助椅子の把手部の支持部の根元部ばかりでなく、把手部の支持部の上方部、或いは把手部自体に取り付けるようにすることも可能である。
把手部自体に取り付けるタイプの第３の実施形態は後述する。【００１１】  図２は、本発明の第二の実施形態を図示した斜視説明図であり、図３は、図２における実施形態を右斜め上方から見た状態の斜視説明図である。
この実施形態においては、膝掛け２０のシート状体２１は、いわゆるピンソニック加工により形成されたものであり、表地として表面にアクリル樹脂によるコーティング（防水加工）が施された銀色の薄地のポリエステルからなるシルバータフタを使用し、裏地としてはやはりポリエステルからなるフレンチパイルを使用し、中間にはポリエステル製のワタを配設し、これらを格子状に溶着して形成したものである。【００１２】  このシート状体２１は、図２及び図３に図示したとおり、平面的なものでなく、略ボックス形状（略箱型形状）に形成され、立体的に成型されており、その内部に幼児の膝部や腰部等がスッポリと収まるように形成されている。
即ち、シート状体２１は、中央部の中央生地部２８とその両側に縫着される側面生地部２９、２９とから成り、中央生地部２８の長手部の両側縁部２３、２３で側面生地部２９、２９とを相互に縫着して、立体形状のボックス型に縫製して形成している。
２５は、取付部であり、前記第１の実施形態と同様、帯状の伸縮自在のゴ厶紐からなり、その両端部を縫着することにより、かかるゴム紐とシート状体２１との間２４に補助椅子の把手部の支持部の根元部に引っ掛けることができる。
この取付部２５は、上記第１の実施形態と同様に、シート状体２１の前方の辺２６に沿って設けているが、これを辺２６からシート状体２１の少し中央寄りに設けることも可能で、この場合には把手部の支持部の根元部でなく、支持部の少し上方部に取り付けることとなる。このように取付部は、把手部の支持部の適宜位置に取り付けることが可能なものである。【００１３】  更に、本実施形態の場合には、シート状体２１の取付部２５が設けられた周縁部の辺２６と対向する反対側の辺２７の両端部に固定手段を設けている。
この固定手段は、シート状体２１の周縁部の辺２７の両端部にそれぞれ固着された帯状の伸縮自在のゴム紐３０、３０と、これらのゴム紐３０、３０の両端部に設けられた合成樹脂製のバックル３２ａ、３２ｂから構成されている。バックル３２ａが差込部であり、バックル３２ｂが受部と成っており、これらバックル３２ａと３２ｂとを相互に嵌合することによって結合固定することができるものである。【００１４】  ゴム紐３０、３０の中間部には長さ調節用の環体３１、３１がそれぞれ設けられている。この長さ調節用の環体は、必要に応じて任意に設けることができ、この環体を設けなくとも実施可能である。
これらの固定手段は、補助椅子に幼児を座らせた後に、幼児の腰部又は胸部の後ろ側で上記バックル３２ａ、３２ｂを相互に結合して取り付ける、又は、補助椅子の背もたれ部に挿通して（即ち、背もたれ部の骨組みを成すフレー厶部の間に挿通して）その背面で結合し、取り付けることができるが、この点については後述する。【００１５】  図４は、上記第２の実施形態に係る膝掛け２０を自転車の後部荷台に取り付けた幼児用補助椅子４０に取り付けた状態を図示する斜視説明図である。
本発明の膝掛けは、後部荷台に取り付けた補助椅子ばかりでなく、前方のハンドルに取り付けた補助椅子にも同様の方法によって取り付けることができるが、以下一例として後部荷台に固定した補助椅子に取り付けた状態のものについて説明する。
幼児用補助椅子４０は、自転車の後部荷台４１にボルト・ナット等により取り付け固定されている。補助椅子４０の前方には上方に起立するフレーム部４２（支持部）が設けられ、その上方端に把手部４３が形成されている。この把手部４３を本発明に係る膝掛け２０の取付部２５とシート状体２１との間に挿通させ、把手部４３の支持部の根元部４５に取付部２５を引っ掛けることができ、膝掛け２０を補助椅子４０に取り付けることができる。【００１６】  この引っ掛けた状態で、膝掛け２０の引っ掛けた側と反対側を前方に捲り上げた状態にして、幼児を補助椅子４０に座らせるのである。幼児が補助椅子に座った後に、捲り上げていた膝掛け２０を幼児の膝部及び腰部或いは胸部の部分にまでシート状体２１を覆い被せる。
その後、取付部２５と反対側の周縁部の辺２７の両端部に設けられた固定手段であるゴム紐３０、３０を両側から幼児の背面に回し、或いは、補助椅子４０の背もたれ部４６のフレーム間に挿通して、これらゴム紐３０、３０の先端に設けられたバックル３２ａ、３２ｂを相互に嵌合固着して、膝掛け２０の取り付けが完了する。
尚、バックルの固定は、補助椅子の背もたれ部のフレームに取り付けるよりも、幼児の背面で固着するほうが好適である。というのも、幼児の背面で固定することにより、幼児の体の自由度が大きくなるからであり、補助椅子の背もたれ部に固定すると幼児の体の動きがより拘束されるからである。【００１７】  図５は、取付部の異なる第３の実施形態を図示する斜視説明図である。
この実施形態においては、上記第１および第２の実施形態とその取付部が異なっており、それ以外は第１の実施形態と同様の構成を有するものである。
即ち、この図５に図示した第３の実施形態においては、２つの取付部５５，５５が設けられ、それぞれの取付部５５は、上方の一方端のみがシート状体１１に縫着され、下方の他方端の裏面には面ファスナーが設けられており、この面ファスナーと相互に係合する面ファスナー５６、５６がシート状体１１に縫着されている。これによって取付部５５、５５は、その輪状部５７，５７を補助椅子の把手部にそれぞれ掛け渡し、それぞれの面ファスナーを相互に係合することにより、取付部５５、５５を補助椅子の把手部に取り付けることができるのである。【００１８】  この実施形態における取付部５５，５５は、シート状部材１１の周縁部分に設けられてはおらず、そのほぼ中央部分やや前方位置（辺１９側）に配備されることとなる。
このように、取付部は、補助椅子の把手部の支持部ばかりでなく、把手部自体にも取り付ける形式に設計変更することが可能であり、それに応じて取付部の取り付け位置も異なることとなるのである。
尚、この第３の実施形態において、取付部の構造を輪状のゴム紐から形成して、この輪状のゴム紐を２つシート状体に縫着し、これら輪状のゴム紐からなる取付部を補助椅子の把手部の両側に挿通させて簡単に取り付けられる構成とすることも容易に可能である。
また、この第３の実施形態に係る構造を有する取付部を上記第２の実施形態の膝掛け２０に適用することも可能である。【００１９】  以上、本発明の実施形態について説明したが、本発明においては以下の通り各種その形態を変更することが可能である。
本発明に係る膝掛けのシート状体の材質は全く自由であり、防寒効果を発揮するものであればどのような素材のものでも使用することができる。
またシート状体の形状は、必ずしも矩形形状のものでなくてもよく、適宜必要に応じて変更することができる。
更に、第２の実施形態においては、シート状体をボックス型に立体的に成型したが、この形状も適宜必要に応じて設計変更することができ、また第一の実施形態のように平面的なものであっても差し支えはない。しかし、ボックスタイプの形態を有するもののほうが使用に当たり便利であり、つまり幼児の膝部や腰部を被覆する際に、より都合よく適切にそれらの部位に被覆され、より位置決めが容易となり、より便利なものとなるからである。【００２０】  シート状体に設けた取付部の構造も全く自由であり、ゴム紐ばかりでなく、伸縮性の少ない通常の紐を用いて相互に縛り付けるものであってもよく、また、上記第二の実施形態で、取付部と反対側に設けた固定手段のようなゴム紐とバックルによる構造としてもよいし、バックルでなく面ファスナーを用いることもできる。
取付部の取り付け関しては、補助椅子の把手部の支持部のいずれの位置にも取り付けることができ、また把手部自体にも取り付けることができ、それに応じて取付部の構造や取り付け位置も種々異なるものとして実施することが出来る。また取付部の数も適宜任意に変更することができる。【００２１】  他方、幼児の背面又は補助椅子の背もたれ部に固定する固定手段の構造も全く自由に設計することが出来、バックルでなく面ファスナーを用いてゴム紐の両端部を固着することも出来、或いは、上記取付部の設計変更例のように伸縮性の少ない又は伸縮性のない紐を用いて相互に縛り付ける構造とすることもできる。
最後に、本発明に係る膝掛けは、自転車の後部荷台に固定した補助椅子或いは前方のハンドルに固定した補助椅子のいずれのタイプの補助椅子に対しても取り付けることができるものである。というのもハンドル固定タイプの補助椅子にあっても、把手部が設けられており、その把手部を支持する鉛直方向のフレーム部（支持部）が存在し、このフレーム部（支持部）の根元部等に取付部を取り付け、また補助椅子の背もたれ部又は幼児の腰部等の背面で固定手段を固定することができるからである。
【発明の効果】
【００２２】  本発明の第１の膝掛けにおいては、シート状体の適宜位置に取付部が設けられており、この取付部が補助椅子の把手部又はその支持部等に取り付けられるために、膝掛けが自転車の揺れや振動或いは風等によって落下したり、飛んで行ってしまうという心配が無くなる。
また、子供を補助椅子から降ろす際にも、膝掛けが補助椅子からずり落ちてしまうことを防止することもできる。
【００２３】  本発明の第２のものは、シート状体の適宜位置に設けられた取付部と、これに対向する反対側にも固定手段が設けられているために、取付部を補助椅子の把手部やその支持部に、また固定手段を幼児の腰部等に又は補助椅子の背もたれ部等に固定することにより、シート状体の前後の２箇所で固定することができ、膝掛けは、幼児の膝部及び腰部等を完全に被覆したままの状態を維持し、補助椅子から落下してしまうことを完全に防止できる。
また、膝掛けの固定手段を幼児の背面で固定することにより、幼児の体の動きの自由度を奪うことがなくなる。
【００２４】  本発明の第３のものにおいては、膝掛けのシート状体が、ボックス型に立体的に成型されているために、幼児が補助椅子に腰掛けた状態で、その上方からスッポリとシート状体を幼児の膝部と腰部等に容易に被覆することができ、その被覆の際の位置決めが極めて容易となる。
以上本発明は多大な効果を発揮するものである。
【図面の簡単な説明】
【図１】本発明に係る第１の実施形態の全体斜視説明図である。
【図２】本発明に係る第２の実施形態の全体斜視説明図である。
【図３】図２に図示された実施形態を右上方から見た全体斜視説明図である。
【図４】本発明に係る第２の実施形態を自転車の補助椅子に取り付けた状態の斜視説明図である。
【図５】本発明に係る第３の実施形態の全体斜視説明図である。
【符号の説明】
１０、２０、５０…膝掛け、１１、２１…シート状体、１５、２５、５５…取付部、３０…ゴム紐、３２ａ、３２ｂ…バックル
【図１】
2005068624.tif 000003
【図２】
2005068624.tif 000004
【図３】
2005068624.tif 000005
【図４】
2005068624.tif 000006
【図５】
2005068624.tif 000007